(57)【要約】      （修正有）【課題】シートの特性に応じたエアの吹き付け圧の調整を容易に行うことができるシート積載装置を提供する。【解決手段】凹版印刷機の排紙部１１０において、原動機側カバー１１８が、爪竿１１５から排紙台１１１上へ落下するシート１の目視確認を可能とする透明材料からなる透明窓１１８ａを有している。【選択図】図２
2013147327.tif 000002
【特許請求の範囲】
【請求項１】
シートが積載されるシート積載台と、
前記シートを前記シート積載台の上方まで搬送して落下させるシート搬送手段と、
前記シート搬送手段から落下する前記シートに対して上方からエアを吹き付けるエア吹付手段と、
前記シート積載台上からの前記シートの取り出しを可能とする開口部を形成しつつ前記シート搬送手段及び前記エア吹付手段と当該シート搬送手段の前記シートの搬送方向に直交する水平方向の一方側の外部との間を仕切るように配設された一方側用カバー部材と、
前記シート積載台、前記シート搬送手段及び前記エア吹付手段と当該シート搬送手段の前記シートの搬送方向に直交する水平方向の他方側の外部との間を仕切るように配設された他方側用カバー部材と
を備えているシート積載装置において、
前記他方側用カバー部材が、前記シート搬送手段から前記シート積載台上へ落下する前記シートの目視確認を可能とする透明材料からなる透明窓を有している
ことを特徴とするシート積載装置。
【請求項２】
請求項１に記載のシート積載装置において、
前記シート積載台上からの前記シートの取り出しを阻害しないように前記一方側用カバー部材の前記開口部に配設されて前記シート搬送手段から当該シート積載台上へ落下する前記シートの目視確認を可能とする透明材料からなる補助カバーを備えている
ことを特徴とするシート積載装置。
【発明の詳細な説明】
【技術分野】
【０００１】
本発明は、シート積載装置に関し、特に、凹版印刷機の排紙部に適用すると有効なものである。
【背景技術】
【０００２】
紙幣等の有価証券を印刷する凹版印刷機は、給紙部から送給されたシートに印刷部で印刷して当該シートを排紙部で回収するようになっている。このような凹版印刷機の排紙部は、走行するエンドレスチェーンに設けられた爪竿のくわえ爪で前記シートをくわえて前記排紙台の上方まで搬送した後、当該くわえ爪を開放して当該シートを当該排紙台上に落下させて積載するようになっている。
【０００３】
このとき、例えば、下記特許文献１，２等においては、前記シートに対して上方からエアを吹き付けることにより、当該シートを直線的に落下させて前記排紙台上に揃えて積載できるようにしている。
【先行技術文献】
【特許文献】
【０００４】
【特許文献１】特開昭５９−１８６８６８号公報
【特許文献２】特表２０１０−５３６６０２号公報
【発明の概要】
【発明が解決しようとする課題】
【０００５】
ところで、前記シートに対する前記エアの最適な吹き付け圧は、当該シートの厚さ等の特性によって異なるため、オペレータが当該シートの実際の落下状態を目視確認しながら調整するようにしている。しかしながら、このようなオペレータによる目視確認は、前記排紙台上に積載された前記シートを当該排紙台上から取り出しできるように開口している操作側の取出部からしか行うことができないため、当該操作側と対向する原動機側のように当該取出部から目視確認しにくい箇所のエアの吹き付け圧は、調整に手間がかかってしまっていた。
【０００６】
このようなことから、本発明は、シートの特性に応じたエアの吹き付け圧の調整を容易に行うことができるシート積載装置を提供することを目的とする。
【課題を解決するための手段】
【０００７】
前述した課題を解決するための、本発明に係るシート積載装置は、シートが積載されるシート積載台と、前記シートを前記シート積載台の上方まで搬送して落下させるシート搬送手段と、前記シート搬送手段から落下する前記シートに対して上方からエアを吹き付けるエア吹付手段と、前記シート積載台上からの前記シートの取り出しを可能とする開口部を形成しつつ前記シート搬送手段及び前記エア吹付手段と当該シート搬送手段の前記シートの搬送方向に直交する水平方向の一方側の外部との間を仕切るように配設された一方側用カバー部材と、前記シート積載台、前記シート搬送手段及び前記エア吹付手段と当該シート搬送手段の前記シートの搬送方向に直交する水平方向の他方側の外部との間を仕切るように配設された他方側用カバー部材とを備えているシート積載装置において、前記他方側用カバー部材が、前記シート搬送手段から前記シート積載台上へ落下する前記シートの目視確認を可能とする透明材料からなる透明窓を有していることを特徴とする。
【０００８】
また、本発明に係るシート積載装置は、上述したシート積載装置において、前記シート積載台上からの前記シートの取り出しを阻害しないように前記一方側用カバー部材の前記開口部に配設されて前記シート搬送手段から当該シート積載台上へ落下する前記シートの目視確認を可能とする透明材料からなる補助カバーを備えていることを特徴とする。
【発明の効果】
【０００９】
本発明に係るシート積載装置によれば、シート搬送手段からシート積載台上へ落下するシートの目視確認を開口部だけでなく他方用カバー部材の透明窓からも行うことができるので、シート積載台上にシートを揃えて積載するようにシートの厚さ等の特性に応じたエア吹付手段のエア吹き付け圧の調整を非常に容易に行うことができる。
【図面の簡単な説明】
【００１０】
【図１】本発明に係るシート積載装置を凹版印刷機の排紙部に適用した場合の主な実施形態の操作側からみた概略構成図である。
【図２】本発明に係るシート積載装置を凹版印刷機の排紙部に適用した場合の主な実施形態の原動機側からみた概略構成図である。
【発明を実施するための形態】
【００１１】
本発明に係るシート積載装置の実施形態を図面に基づいて説明するが、本発明に係るシート積載装置は、図面に基づいて説明される以下の実施形態のみに限定されるものではない。
【００１２】
［主な実施形態］
本発明に係るシート積載装置を凹版印刷機の排紙部に適用した場合の主な実施形態を図１，２に基づいて説明する。
【００１３】
本実施形態に係るシート積載装置は、図１，２に示すように、シート１が積載されるシート積載台である排紙台１１１と、シート１を排紙台１１１の上方まで搬送して落下させるシート搬送手段である、スプロケット１１３，エンドレスチェーン１１４，爪竿１１５等と、前記爪竿１１５から落下するシート１に対して上方からエアを吹き付けるエア吹付手段である送風装置１１６と、排紙台１１１上からのシート１の取り出しを可能とする開口部である取出口１１７ａを形成しつつ前記スプロケット１１３，前記エンドレスチェーン１１４，前記爪竿１１５等のシート搬送手段及び前記送風装置１１５と当該エンドレスチェーン１１４のシート１の搬送方向（図１中、左右方向）に直交する水平方向（図１中、紙面垂直方向）の一方側（図１中、紙面手前側）、すなわち、操作側（図１側）の外部との間を仕切るように配設された一方側用カバー部材である操作側カバー１１７と、前記排紙台１１１、前記スプロケット１１３，前記エンドレスチェーン１１４，前記爪竿１１５等の前記シート搬送手段及び前記送風装置１１６と当該エンドレスチェーン１１４のシート１の搬送方向（図２中、左右方向）に直交する水平方向（図２中、紙面垂直方向）の他方側（図２中、紙面手前側）、すなわち、原動機側（図２側）の外部との間を仕切るように配設された他方側用カバー部材である原動機側カバー１１８とを備えている排紙部１１０において、前記原動機側カバー１１８が、前記爪竿１１５から排紙台１１１上へ落下するシート１の目視確認を可能とする透明材料からなる透明窓１１８ａを有すると共に、排紙台１１１上からのシート１の取り出しを阻害しないように前記操作側カバー１１７の前記取出口１１７ａに配設されて前記爪竿１１５から排紙台１１１上へ落下するシート１の目視確認を可能とする透明材料からなる補助カバー１１９を備えている。
【００１４】
前記排紙台１１１は、前記エンドレスチェーン１１４の走行方向に沿って複数（本実施形態では３つ）配設され、積載されたシート１の上部の高さ位置を一定にできるように昇降移動可能となっている。
【００１５】
前記エンドレスチェーン１１４は、図示しない印刷部の排紙胴と前記排紙台１１１の上方との間を連絡するように、上記排紙胴に同軸をなして設けられたスプロケットと前記スプロケット１１３との間に掛け渡されており、当該スプロケット１１３等の回転に伴って走行することができるようになっている。
【００１６】
前記爪竿１１５は、前記エンドレスチェーン１１４に所定の間隔で複数取り付けられ、図示しないくわえ爪により、前記印刷部の前記排紙胴からシート１を受け取って、上記エンドレスチェーン１１４の走行に伴って前記排紙台１１１の上方まで移動して、くわえ爪を開放することにより、当該シート１を当該排紙台１１１の上方で落下させることができるようになっている。
【００１７】
前記送風装置１１６は、各前記排紙台１１１の上方において、前記シート１の天地方向（図１，２中、左右方向）及び幅方向（図１，２中、紙面垂直方向）に対してそれぞれ複数配設され、当該排紙台１１１上で前記くわえ爪から解放された前記シート１に対してエアを吹き付けることにより、当該シート１を当該排紙台１１１上に直線的に落下させることができるようになっている。このとき、上記シート１の厚さ等の特性に応じて、当該シート１の天地方向（図１，２中、左右方向）及び幅方向（図１，２中、紙面垂直方向）に位置する上記送風装置１１６の風力を調整することにより、当該シート１を当該排紙台１１１上に揃えて積載することができる。
【００１８】
前記操作側カバー１１７は、金属材料からなり、前記スプロケット１１３，前記エンドレスチェーン１１４，前記爪竿１１５等のシート搬送手段及び前記送風装置１１６と操作側（図１側）の外部との間を仕切るように配設され、オペレータが可動部分に対して誤って接触してしまうことを防止すると共に、前記排紙台１１１上から前記シート１を取り出しできるように取出口１１７ａが形成されている。
【００１９】
前記原動機側カバー１１８は、大部分において金属材料からなり、前記排紙台１１１、前記スプロケット１１３，前記エンドレスチェーン１１４，前記爪竿１１５等の前記シート搬送手段及び前記送風装置１１５と原動機側（図２側）の外部との間を仕切るように配設され、オペレータが可動部分に対して誤って接触してしまうことを防止すると共に、一部分において、前記爪竿１１５から排紙台１１１上へ落下するシート１の目視確認を可能とする位置にアクリル樹脂等の透明材料からなる透明窓１１８ａが設けられている。
【００２０】
また、前記操作側カバー１１７の前記取出口１１７ａには、前記爪竿１１５から排紙台１１１上へ落下するシート１の目視確認を可能とするアクリル樹脂等の透明材料からなる補助カバー１１９が前記排紙台１１１上からのシート１の取り出しを阻害しないように配設されている。
【００２１】
このような本実施形態に係る凹版印刷機の排紙部１１０においては、印刷部で印刷されたシート１を前記排紙胴から前記爪竿１１５のくわえ爪で受け取って、前記エンドレスチェーン１１４が走行し、当該シート１が前記排紙台１１１の上方まで移動して、上記くわえ爪が開放すると共に、前記送風装置１１６が当該シート１に対して上方からエアを吹き付けることにより、当該シート１を当該排紙台１１１上に直線的に落下させて積載することができる。
【００２２】
このとき、オペレータは、操作側の前記補助カバー１１９から上記シート１の落下状態を目視確認することができると共に、当該操作側からは目視確認しづらい原動機側の上記シート１の落下状態を前記原動機側カバー１１８の前記透明窓１１８ａから目視確認することができる。
【００２３】
したがって、本実施形態に係る凹版印刷機の印刷部１１０によれば、排紙台１１１上にシート１を揃えて積載するように当該シート１の厚さ等の特性に応じた前記エアの吹き付け圧の調整を非常に容易に行うことができる。
【００２４】
［他の実施形態］
なお、前述した実施形態においては、凹版印刷機の排紙部１００に適用した場合について説明したが、本発明はこれに限らず、枚葉オフセット印刷機の排紙部はもちろんのこと、シートが積載されるシート積載台と、前記シートを前記シート積載台の上方まで搬送して落下させるシート搬送手段と、前記シート搬送手段から落下する前記シートに対して上方からエアを吹き付けるエア吹付手段と、前記シート積載台上からの前記シートの取り出しを可能とする開口部を形成しつつ前記シート搬送手段及び前記エア吹付手段と当該シート搬送手段の前記シートの搬送方向に直交する水平方向の一方側の外部との間を仕切るように配設された一方側用カバー部材と、前記シート積載台、前記シート搬送手段及び前記エア吹付手段と当該シート搬送手段の前記シートの搬送方向に直交する水平方向の他方側の外部との間を仕切るように配設された他方側用カバー部材とを備えているシート積載装置であれば、前述した実施形態の場合と同様に適用して、前述した実施形態の場合と同様な作用効果を得ることができる。
【産業上の利用可能性】
【００２５】
本発明に係るシート積載装置は、シート積載台上にシートを揃えて積載するようにシートの厚さ等の特性に応じたエア吹付手段のエア吹き付け圧の調整を非常に容易に行うことができるので、印刷産業を始めとして、各種の産業において極めて有益に利用することができる。
【符号の説明】
【００２６】
１  シート
１１０  排紙部
１１１  排紙台
１１３  スプロケット
１１４  エンドレスチェーン
１１５  爪竿
１１６  送風装置
１１７  操作側カバー
１１７ａ  取出口
１１８  原動機側カバー
１１８ａ  透明窓
１１９  補助カバー
【図１】
2013147327.tif 000003
【図２】
2013147327.tif 000004